【手続補正書】
【提出日】平成18年7月27日(2006.7.27)
【手続補正１】
【補正対象書類名】特許請求の範囲
【補正対象項目名】全文
【補正方法】変更
【補正の内容】
【特許請求の範囲】
【請求項１】
一端が開放した袋(12)にサンドイッチ(16)を収容した半包装体(10)のサンドイッチ端面(16a)より延出する袋口部(14)の上下左右の各面をなす各開口縁部(14a,14b,14b,14c)を、外方から互いに重なる方向へ順次折り畳んでサンドイッチ端面(16a)に沿わせて封止する包装方法であって、 
前記半包装体(10)を、前記袋口部(14)が側方へ臨んだ状態で、ターンテーブル(22)により間欠的に搬送するに際して、
第１位置(P1)で、前記袋口部(14)における左右の横開口縁部(14b,14b)を、袋口支持手段(34,34)で前記サンドイッチ端面(16a)における下縁の両角部近傍から袋開口側に向けて斜め上方に延びるラインで内方から夫々支持して、袋口部(14)の下開口縁部(14a)を下折り畳み手段(28)で袋開口側からサンドイッチ端面(16a)に近接する方向へ押上げつつ折り畳み、
その折り畳みにより前記各横開口縁部(14b)における下部領域が折り返されて重なった部位を、前記サンドイッチ端面(16a)に近接する側で第１シール手段(38,38)により夫々挟んで部分的に熱溶着し、
第２位置(P2)で、両横開口縁部(14b,14b)を横折り畳み手段(42,42)で夫々折り畳んで下開口縁部(14a)に重ね合わせ、
上開口縁部(14c)に、この折り畳んだ両横開口縁部(14b,14b)が重なる部位を、前記サンドイッチ端面(16)に近接する側で第２シール手段(44)により挟んで熱溶着し、
第３位置(P3)で、前記上開口縁部(14c)を上折り畳み手段(52)により前記サンドイッチ端面(16a)に沿うよう折り畳む
ことを特徴とするサンドイッチの包装方法。
【請求項２】
一端が開放した袋(12)にサンドイッチ(16)を収容した半包装体(10)のサンドイッチ端面(16a)より延出する袋口部(14)の上下左右の各面をなす各開口縁部(14a,14b,14b,14c)を、外方から互いに重なる方向へ順次折り畳んでサンドイッチ端面(16a)に沿わせて封止するサンドイッチの包装装置において、
前記半包装体(10)の袋口部(14)を半径方向外側へ向けた状態で受入れ位置(PN)で受入れ保持し、間欠回転するターンテーブル(22)を備え、
該ターンテーブル(22)の回転位置における前記受入れ位置(PN)の下流側には、
到来した半包装体(10)のサンドイッチ端面(16a)に近接する方向へ回動しつつ上昇して、前記袋口部(14)の下開口縁部(14a)をサンドイッチ端面(16a)に沿うように折り畳む下折り畳み手段(28)と、
該下折り畳み手段(28)による折り畳みに先立って、前記袋口部(14)における左右の横開口縁部(14b,14b)を、前記サンドイッチ端面(16a)における下縁の両角部近傍から袋開口側に向けて斜め上方に延びるラインで内方から夫々支持する袋口支持手段(34,34)と、
前記下開口縁部(14a)の折り畳みにより前記各横開口縁部(14b)における下部領域が折り返されて重なった部位を、前記サンドイッチ端面(16a)に近接する側で夫々挟んで部分的に熱溶着する第１シール手段(38,38)との夫々が設けられた第１ステーション(S1)を配置し、
該第１ステーション(S1)の下流側には、
前記両横開口縁部(14b,14b)を夫々折り畳んで下開口縁部(14a)に重ね合わせる一対の横折り畳み手段(42,42)と、
折り畳んだ両横開口縁部(14b,14b)と前記袋口部(14)で延出する上開口縁部(14c)とが重なる前記サンドイッチ端面(16)に近接する部位を挟んで熱溶着する第２シール手段(44)との夫々が設けられた第２ステーション(S2)を配置し、
前記第２ステーション(S2)の下流側には、前記上開口縁部(14c)を、前記サンドイッチ端面(16a)に沿って折り畳む上折り畳み手段(52)が設けられた第３ステーション(S3)を配置した
ことを特徴とするサンドイッチの包装装置。
【請求項３】
前記第２ステーション(S2)には、両横開口縁部(14b,14b)が折り畳まれる際に、先に折り畳まれた下開口縁部(14a)を前記サンドイッチ端面(16a)に沿って保持する第１案内手段(48)が設けられる請求項２記載のサンドイッチの包装装置。
【請求項４】
前記第３ステーション(S3)には、上開口縁部(14c)が折り畳まれる際に、前記サンドイッチ端面(16a)の上縁近傍において両横開口縁部(14b,14b)を保持する第２案内手段(66,66)が設けられる請求項２または３記載のサンドイッチの包装装置。
【請求項５】
前記第３ステーション(S3)には、折り畳まれた上開口縁部(14c)を、先に重ね合わせた横および下開口縁部(14a,14b,14b)に接合する貼着物を貼付する貼着手段(56)が設けられる請求項２〜４の何れか一項に記載のサンドイッチの包装装置。
【手続補正２】
【補正対象書類名】明細書
【補正対象項目名】０００６
【補正方法】変更
【補正の内容】
【０００６】
前記課題を克服し、所期の目的を達成するため、本発明に係るサンドイッチの包装方法は、
一端が開放した袋にサンドイッチを収容した半包装体のサンドイッチ端面より延出する袋口部の上下左右の各面をなす各開口縁部を、外方から互いに重なる方向へ順次折り畳んでサンドイッチ端面に沿わせて封止する包装方法であって、 
前記半包装体を、前記袋口部が側方へ臨んだ状態で、ターンテーブルにより間欠的に搬送するに際して、
第１位置で、前記袋口部における左右の横開口縁部を、袋口支持手段で前記サンドイッチ端面における下縁の両角部近傍から袋開口側に向けて斜め上方に延びるラインで内方から夫々支持して、袋口部の下開口縁部を下折り畳み手段で袋開口側からサンドイッチ端面に近接する方向へ押上げつつ折り畳み、
その折り畳みにより前記各横開口縁部における下部領域が折り返されて重なった部位を、前記サンドイッチ端面に近接する側で第１シール手段により夫々挟んで部分的に熱溶着し、
第２位置で、両横開口縁部を横折り畳み手段で夫々折り畳んで下開口縁部に重ね合わせ、
上開口縁部に、この折り畳んだ両横開口縁部が重なる部位を、前記サンドイッチ端面に近接する側で第２シール手段により挟んで熱溶着し、
第３位置で、前記上開口縁部を上折り畳み手段により前記サンドイッチ端面に沿うよう折り畳むことを特徴とする。
【手続補正３】
【補正対象書類名】明細書
【補正対象項目名】０００７
【補正方法】変更
【補正の内容】
【０００７】
前記課題を克服し、所期の目的を達成するため、本願の別の発明に係るサンドイッチの包装装置は、
一端が開放した袋にサンドイッチを収容した半包装体のサンドイッチ端面より延出する袋口部の上下左右の各面をなす各開口縁部を、外方から互いに重なる方向へ順次折り畳んでサンドイッチ端面に沿わせて封止するサンドイッチの包装装置において、
前記半包装体の袋口部を半径方向外側へ向けた状態で受入れ位置で受入れ保持し、間欠回転するターンテーブルを備え、
該ターンテーブルの回転位置における前記受入れ位置の下流側には、
到来した半包装体のサンドイッチ端面に近接する方向へ回動しつつ上昇して、前記袋口部の下開口縁部をサンドイッチ端面に沿うように折り畳む下折り畳み手段と、
該下折り畳み手段による折り畳みに先立って、前記袋口部における左右の横開口縁部を、前記サンドイッチ端面における下縁の両角部近傍から袋開口側に向けて斜め上方に延びるラインで内方から夫々支持する袋口支持手段と、
前記下開口縁部の折り畳みにより前記各横開口縁部における下部領域が折り返されて重なった部位を、前記サンドイッチ端面に近接する側で夫々挟んで部分的に熱溶着する第１シール手段との夫々が設けられた第１ステーションを配置し、
該第１ステーションの下流側には、
前記両横開口縁部を夫々折り畳んで下開口縁部に重ね合わせる一対の横折り畳み手段と、
折り畳んだ両横開口縁部と前記袋口部で延出する上開口縁部とが重なる前記サンドイッチ端面に近接する部位を挟んで熱溶着する第２シール手段との夫々が設けられた第２ステーションを配置し、
前記第２ステーションの下流側には、前記上開口縁部を、前記サンドイッチ端面に沿って折り畳む上折り畳み手段が設けられた第３ステーションを配置したことを特徴とする。
【手続補正４】
【補正対象書類名】明細書
【補正対象項目名】０００８
【補正方法】変更
【補正の内容】
【０００８】
本願の請求項１および請求項２の発明によれば、横開口縁部を、サンドイッチ端面における下縁の対応する角部近傍から離間するにつれて斜め上方に延びるラインで袋口部の内方から夫々支持して、下開口縁部をサンドイッチ端面に近接する方向へ折り畳むので、サンドイッチの形状にかかわらず常に一定のラインで下開口縁部を折り畳むことができると共に、サンドイッチの如く柔軟なものであっても、好適に折り畳み得る。しかも、下開口縁部の折り畳みによって、この下開口縁部に連なる各横開口縁部の下部領域が折り返される際に、各横開口縁部の折り返しラインが定位置で支持されるので、例えば袋として柔らかい材質のものを使用しても、横開口縁部の折り返し部分は良好に仕上げられる。また、開口縁部の重なった部位を熱溶着しておくことで、次の折り畳み処理まで別段の保持手段を使用せず、折り畳んだ開口縁部の状態を保持し得るだけでなく、次の開口縁部の折り畳みに際して重なった部位がずれず、仕上がり具合を良好にすることができると共に、袋開口を折り畳んだ開口縁部で良好に封止し得るので、袋内への異物の侵入を防止し得る。また、開口縁部自体の折り畳みに際して、例えば袋として柔らかい材質のものを使用しても、熱溶着により剛性が増すから好適に折り畳むことができる。更に、半包装体は、袋口部における各開口縁部の折り畳みを異なる位置に設けた複数のステーションにより実施することで、複数の半包装体を同時に折り畳むことができるから、効率がよく包装能力を向上し得る。
【手続補正５】
【補正対象書類名】明細書
【補正対象項目名】０００９
【補正方法】変更
【補正の内容】
【０００９】
請求項３の発明によれば、第２ステーションは下開口縁部をサンドイッチ端面に沿って保持する第１案内手段を備えているので、両横開口縁部が折り畳まれる際に、先に折り畳んだ下開口縁部を保持してサンドイッチ端面からの浮き上がりを防止して、折り畳んだ開口縁部の仕上がり具合をより向上させることができる。また、請求項４の発明によれば、第３ステーションはサンドイッチ端面の上縁近傍において両横開口縁部を保持する第２案内手段を備えているので、サンドイッチの形状にかかわらず常に一定のラインで上開口縁部を折り畳むことができると共に、サンドイッチの如く柔軟なものであっても好適に折り畳み得る。従って、折り畳んだ上開口縁部の仕上がり具合をより向上させることができる。更に、請求項５の発明によれば、第３ステーションは、折り畳まれた上開口縁部を、重ね合わせた横および下開口縁部に接合する貼着物を貼付する貼着手段を備えているから、別に貼着手段を配設する必要がなく、全体としてコンパクトにできる。
【手続補正６】
【補正対象書類名】明細書
【補正対象項目名】００４２
【補正方法】変更
【補正の内容】
【００４２】
前記第２ステーションＳ２で各横開口縁部１４ｂが折り畳まれた半包装体１０は、前記ターンテーブル２２の回転搬送により第２位置Ｐ２から第３位置Ｐ３に到来して、第３ステーションＳ３で上開口縁部１４ｃが折り畳まれると共に、折り畳まれた開口縁部１４ａ,１４ｂ,１４ｂ,１４ｃの重なり部分に粘着テープが貼着される。すなわち、前記サンドイッチ端面１６ａの厚さより互いに近接し、前記袋口部１４から後側に退避していた両第２案内手段６６,６６が前進付勢されて、各案内爪６７ａの前面が第２位置Ｐ２で折り畳まれた各横開口縁部１４ｂを保持して、サンドイッチ端面１６ａに沿って位置決めされる。このとき、各案内爪６７ａの上縁は、上開口縁部１４ｃの折り返しラインとなるサンドイッチ端面１６ａの上縁近傍におおよそ整合して位置している。